(57)【要約】【課題】衣類等を取り出しやすく整理して収納し、紛失を防止するのに好適な密封ファイル型防災用品及びバインダー式防災用品セットを提供すること。【解決手段】この密封ファイル型防災用品１００は、２枚のシート２，３の外縁４ａ，４ｂ，４ｃ，４ｄを密着させて空気圧縮可能に形成した中空部５と、外縁４ｄに沿って中空部５に連接しないように形成した複数の穴６と、を有するシート状の袋体１からなり、衣類等の物を中空部５に収容して空気圧縮した袋体１を、穴６によってバインダーにファイリング可能にした。【選択図】図１
0003176432.tif 000002
【実用新案登録請求の範囲】
【請求項１】
二つ折りにした１枚のシート又は重ねた複数枚のシートの外縁を密着させて空気圧縮可能に形成した中空部と、前記外縁に沿って形成され且つバインダーにファイリングするための複数の穴と、を有するシート状の袋体からなり、衣類等の圧縮可能物を前記中空部に収容して空気を抜いてこれらを圧縮可能であることを特徴とする密封ファイル型防災用品。
【請求項２】
前記袋体を形成するシートの一部又は全部が透明又は半透明な素材によって形成することを特徴とする請求項１に記載の密封ファイル型防災用品。
【請求項３】
前記中空部内に衣類等の圧縮可能物を収容可能に前記袋体に形成した開口部と、当該開口部を塞いで密閉可能なシール部材とを備えるようにしたことを特徴とする請求項１又は２に記載の密封ファイル型防災用品。
【請求項４】
前記中空部内から空気を抜き密閉する栓を備えることを特徴とする請求項１から請求項３のいずれか一つに記載の密封ファイル型防災用品。
【請求項５】
前記請求項１〜請求項４のいずれかに記載の前記密封ファイル型防災用品の前記中空部内に、衣類等の圧縮可能物を収容し、バインダーにファイリングしてなることを特徴とするバインダー式防災用品セット。
【請求項６】
二つ折りにした１枚のシート又は重ねた複数枚のシートの外縁を密着させて空気圧縮可能に形成した中空部を有するシート状の袋体からなり、衣類等の圧縮可能物を前記中空部に収容して空気を抜いて圧縮可能にしたことを特徴とする密閉型ファイル。
【請求項７】
請求項６に記載の密閉型ファイルの前記中空部内に、衣類等の圧縮可能物を収容し、当該圧縮可能物を前記中空部の空気を抜いて圧縮したことを特徴とする防災用品。
【考案の詳細な説明】
【技術分野】
【０００１】
この考案は、衣類等が嵩張ったり散乱したりしないように整理して保管するのに適した密封ファイル型防災用品、及び、その密封ファイル型防災用品を用いたバインダー式防災用品セットに関する。
【背景技術】
【０００２】
従来、衣類等が嵩張らないように保管する技術として、特許文献１や特許文献２に記載の「衣類圧縮収納袋」が知られている。この衣類圧縮収納袋では、シート状の衣類圧縮収納袋に衣類を入れ、空気を排出してシート状に圧縮している。また、特許文献２には、衣類が「保管袋」に入れられてロール状に密閉される技術が記載されている。
【０００３】
一般に、防災用品は、衣類、非常食、懐中電灯等の電気器具等の防災用品をショルダーバックやリュック等の収納用具内に入れて保存して常備される。その際、衣類は、容積を小さくするため、上記特許文献１の「衣類圧縮収納袋」や上記特許文献２に記載の「保管袋」に入れられて、リュック等の収納用具に収納される。
【先行技術文献】
【特許文献】
【０００４】
【特許文献１】特開平８−２３０８９８号公報
【特許文献２】特開２００３−５０７２６４号公報
【考案の概要】
【考案が解決しようとする課題】
【０００５】
しかしながら、上記特許文献１に記載の「衣類圧縮収納袋」や上記特許文献２に記載の「保管袋」は、リュック等の収納用具内で散らばりやすく、災害時などで必要な防災用品を即座に見つけにくいという問題がある。また、例えば、津波等の水害の際、リュック等の収納用具が開いてしまうと、水中等に防災用品が散らばって紛失してしまうおそれがあるという問題がある。
【０００６】
そこで、この考案の目的は、衣類等を取り出しやすく整理して収納し、紛失を防止するのに好適な密封ファイル型防災用品及びバインダー式防災用品セットを提供することを目的とする。
【課題を解決するための手段】
【０００７】
そこで、この考案の密封ファイル型防災用品は、二つ折りにした１枚のシート又は重ねた複数枚のシートの外縁を密着させて空気圧縮可能に形成した中空部と、前記外縁に沿って形成され且つバインダーにファイリングするための複数の穴と、を有するシート状の袋体からなり、衣類等の圧縮可能物を前記中空部に収容して空気を抜いてこれらを圧縮可能としたことを特徴とする。
【０００８】
この考案では、衣類等の物を中空部に収容して空気圧縮した袋体が穴によってバインダーの金具に挿通されてファイリングされるようにしたため、衣類等の物を整理してバインダーに収納して保管することができる。そのため、必要な物をバインダーの中から探しやすく取り出しやすくなる。また、衣類等の物を収容した袋体が穴によってバインダーにしっかりと綴じられるため、散らばりを防いで衣類等の物の紛失を防止することができる。
【０００９】
前記袋体を、形成するシートの一部又は全部が透明又は半透明な素材によって形成するのが好ましい。この構成によると、袋体に収容した衣類等の物が視認しやすいため、必要なものを容易に探すことができる。
【００１０】
前記中空部内に衣類等の物を収容可能に前記袋体に形成した開口部と、当該開口部を塞いで密閉可能なシール部材とを備えるようにしてもよい。この構成によると、ユーザーの用途や好みに応じて袋体に収容するものを変えることができる。
【００１１】
特に、前記中空部内から空気を抜き密閉する栓を備えることが好ましい。この構成によると、中空部内に物を収容してシール部材で開口部を塞いだ後に、中空部内の空気を栓から抜いて密閉することができる。
【００１２】
また、この考案のバインダー式防災用品セットは、前記密封ファイル型防災用品の前記中空部内に、衣類等の圧縮可能物を収容し、バインダーにファイリングしてなることを特徴とする。
【００１３】
この構成によると、防災用品を中空部に収容して空気圧縮した袋体が穴によってバインダーにファイリングされるので、防災用品を整理してバインダーに収納して保管することができる。また、防災用品を収容した袋体が穴によってバインダーにしっかりと綴じられるため、津波等の災害時であっても水中等への防災用品の散らばりを防いで紛失を防止することができる。
【００１４】
また、この考案の密閉型ファイルは、二つ折りにした１枚のシート又は重ねた複数枚のシートの外縁を密着させて空気圧縮可能に形成した中空部を有するシート状の袋体からなり、衣類等の圧縮可能物を前記中空部に収容して空気を抜いて圧縮可能にしたことを特徴とする。
【００１５】
また、この考案の防災用品は、上記の密閉型ファイルの前記中空部内に、衣類等の圧縮可能物を収容し、当該圧縮可能物を前記中空部の空気を抜いて圧縮したことを特徴とする。
【図面の簡単な説明】
【００１６】
【図１】この考案の実施の形態１にかかる密封ファイル型防災用品の使用状態を示す図あり、（Ａ）に平面図、（Ｂ）にＡ−Ｂ断面図、（Ｃ）に底面図を示す。
【図２】図１に示した密封ファイル型防災用品を用いたバインダー式防災用品セットを示す斜視図である。
【図３】この考案の実施の形態２にかかる密封ファイル型防災用品の使用状態を示す図であり、（Ａ）に平面図、（Ｂ）にＡ−Ｂ中央断面図、（Ｃ）に底面図を示す。
【図４】この考案の実施の形態３にかかる密封ファイル型防災用品の使用状態を示す図である。
【図５】図４に示す密封ファイル型防災用品の栓の変形例を示す図である。
【図６】この考案の実施の形態４にかかる密封ファイル型防災用品の使用状態を示す平面図である。
【図７】この考案の実施の形態５にかかる密封ファイル型防災用品を示す平面図である。
【図８】この考案の実施の形態５にかかる密封ファイル型防災用品の使用状態を示す図である。
【考案を実施するための形態】
【００１７】
（実施の形態１）
図１は、この考案の実施の形態１にかかる密封ファイル型防災用品の使用状態を示す図あり、（Ａ）に平面図、（Ｂ）にＡ−Ｂ断面図、（Ｃ）に底面図を示す。この密封ファイル型防災用品１００は、シート状の袋体１からなり、ＴシャツＸ等の物を空気圧縮して収容し、バインダーに綴じられるようにした構造である。
【００１８】
袋体１は、２枚のシート２，３の外縁４ａ，４ｂ，４ｃ，４ｄを密着させて空気圧縮可能に形成される。外縁４ａ，４ｂ，４ｃ，４ｄは、熱溶着や熱圧着や接着剤等により密着させればよく、どのような方法を用いても良い。外縁４ａ，４ｂ，４ｃ，４ｄが密着された袋体１には、中空部５が形成される。この中空部５には、空気を抜かれてＴシャツＸ等の物が収容される。中空部５内から空気を抜く方法としては、例えば、外縁４ａ，４ｂ，４ｃ，４ｄの一部を密着させないでおき、その密着させていない開口（不図示）からバキュームして空気を抜くようにしてもよい。また、シート２，３を金型やローラ（不図示）によって挟み込むことによってシート２，３の間の空気をある程度抜き、外縁４ａ，４ｂ，４ｃ，４ｄを圧着させるようにしてもよい。
【００１９】
また、袋体１には、外縁４ｄに沿って、中空部５に干渉しないように形成した複数の穴６が形成されている。この穴６は、バインダー（不図示）の金具に挿通されて袋体１をファイリングさせるものである。ここでは、複数の穴６を形成した場合を示しているが、穴６の数は、任意に形成すればよく、１穴、２穴又はそれ以上であってもよい。
【００２０】
ところで、シート２，３の全面は、透明又は半透明になっていて、中空部５内に収容されたＴシャツＸが視認できるようになっていて、必要な時に探しやすくなっている。なお、シート２，３の一部が、透明又は半透明としてもよい。また、シート２，３の全面が透明又は半透明でないものであってもよい。この場合は、シート２，３表面に内容物の名称を記入したりラベルを貼付したりすればよい。
【００２１】
なお、ここでは、袋体１が、２枚のシートを貼り合わせたものとして説明したが、二つ折りにした１枚のシートを貼り合わせたものにしてもよい。また、１枚のシートと、そのシートの略半分の大きさの２枚のシートを互いに貼り合わせて袋体１を形成してもよい。また、袋体１の端部には、袋体１をすぐに開くための切り込み１５が設けられる。
【００２２】
続いて、図１に示した密封ファイル型防災用品１００を用いたバインダー式防災用品セット１５０について説明する。図２は、図１に示した密封ファイル型防災用品を用いたバインダー式防災用品セットを示す斜視図である。このバインダー式防災用品セット１５０は、上面視コ字型に折り曲げ自在な板状のバインダー本体１５１によって構成される。バインダー本体１５１は、厚紙や樹脂や金属等の材料で形成される。
【００２３】
バインダー本体１５１の中央には、密封ファイル型防災用品１００ａ，１００ｂの穴６に合わせた複数のリング（金具）１５２が取り付けられている。ここでは、密封ファイル型防災用品１００ａにはＴシャツＸが収容され、密封ファイル型防災用品１００ｂには手袋Ｙが収容されている。このような構成によると、密封ファイル型防災用品１００ａ，１００ｂを捲るようにして、防災用品を探すことができる。なお、当然、３つ以上の密封ファイル型防災用品を取り付けても良い（図示省略）。
【００２４】
また、このリング１５２は、図示しない開閉機構を備え、開閉自在にして、密封ファイル型防災用品１００を交換したり追加したりできるようにしてもよい。また、その開閉機構の開閉をロックする図示しないロック機構を備えるようにして、密封ファイル型防災用品１００が災害時に衝撃により容易にリング１５２から外れないようにしてもよい。
【００２５】
したがって、以上の構成によると、ＴシャツＸ等の物を中空部５に収容して空気圧縮した袋体１が穴６によってバインダー式防災用品セット１５０のリング１５２に挿通されてファイリングされるようにしたため、衣類等の物を整理してバインダー式防災用品セット１５０に収納し、保管できる。そのため、バインダー式防災用品セット１５０の中から必要な物を探しやすく取り出しやすくなる。また、衣類等の物を収容した袋体１が穴６によってバインダー式防災用品セット１５０にしっかりと綴じられるため、散らばりを防いで衣類等の物の紛失を防止することができる。
【００２６】
（実施の形態２）
図３は、この考案の実施の形態２にかかる密封ファイル型防災用品を示す図であり、（Ａ）にシール前の平面図、（Ｂ）にシール後の平面図を示す。この密封ファイル型防災用品２００は、上記実施の形態１と同様に、２枚のシート２，３の外縁４ａ，４ｂ，４ｃ，４ｄを密着させて空気圧縮可能に形成した中空部５と、外縁４ｄに沿って中空部５に干渉しないように形成した複数の穴６と、を有するシート状の袋体１からなり、衣類等の物を中空部５に収容して空気圧縮した袋体１を、穴６によってバインダー式防災用品セット１５０にファイリング可能になっている。なお、この密封ファイル型防災用品２００は、実施の形態１の密封ファイル型防災用品１００と同様に、バインダー式防災用品セット１５０にファイリグ可能なので、説明を省略する。
【００２７】
さらに、この密封ファイル型防災用品２００には、ＴシャツＸ等の物を中空部５内に差し入れ可能な開口部７が形成されている。この開口部７は、シール部材８がシート２表面に貼り付けられることによって塞がれるようになっている。なお、開口部７をシール部材８で塞ぐ際には、シート２，３を両側から押さえつけて中の空気を押し出して密閉すればよい。また、シール部材８によって開口部７を塞ぐ際に、一部だけ貼り付けないでおき、その部分をホース（不図示）によって吸引して空気圧縮するようにしてもよい。
【００２８】
この実施の形態２の構成によると、上記実施の形態１の効果と共に、開口部７から中空部５内に収容する物を入れ替えられるため、ユーザーの用途や好みに応じて袋体１に収容するものを変えることができる。
【００２９】
（実施の形態３）
図４は、この考案の実施の形態３にかかる密封ファイル型防災用品の使用状態を示す平面図である。なお、この図４は、実施の形態２を示した図３（Ｂ）に相当する図であり、実施の形態２と異なる構成を追加して示している。そのため、図４中、図３（Ｂ）に示す構成と同一構成については同一符号を付して説明を省略し、図３（Ｂ）の構成と異なる点について説明する。
【００３０】
この密封ファイル型防災用品３００には、シート２の一部に栓９が備えられている。この栓9は、天然ゴムや合成ゴムからなる軸方向断面がエ字形状に形成されていて、シート２に形成された穴２ａを塞ぐように取り付けられている。シート２の表裏面に栓９は接着されて。この栓９は、中空針１６が指された状態でバキュームされ、中空針１６が抜かれると元の形状に弾性変形して中空針１６によって生じた穴１７を塞ぐようになっている。
【００３１】
なお、栓９の構造は、これに限らない。例えば、図５に示すように、穴２aの中空部５内側に弁９ａを設けてもよい。この弁９ａは、図５（Ａ）に示すように、穴２ａに入れられた中空針１６ら中空部５内の空気が抜かれていくにしたがって、Ｔシャツやシート３によって押しつけられて塞がってくるので、図５（Ｂ）に示すように、中空針１６を穴２ａから引き抜くと、穴２ａが塞がれる。
【００３２】
以上の構成によると、中空部５内に物を収容してシール部材８で開口部７を塞いだ後に、中空部５内の空気を栓９から抜いていくことによって、確実に密閉することができる。
【００３３】
（実施の形態４）
図６は、この考案の実施の形態４にかかる密封ファイル型防災用品の使用状態を示す平面図である。この密封ファイル型防災用品４００は、水や薬剤等の液体を収容する構造になっている。この密封ファイル型防災用品４００は、上記実施の形態１と同様に、２枚のシート２，３の外縁４ａ，４ｂ，４ｃ，４ｄを密着させて空気圧縮可能に形成した中空部５と、外縁４ｄに沿って中空部５に連接しないように形成した複数の穴６と、を有するシート状の袋体１からなり、液体を中空部５に収容した袋体１を、穴６によってバインダー式防災用品セット１５０にファイリング可能になっている。なお、この密封ファイル型防災用品２００は、実施の形態１の密封ファイル型防災用品１００と同様に、バインダー式防災用品セット１５０にファイリグ可能なので、説明を省略する。
【００３４】
また、この密封ファイル型防災用品４００には、吸い出し口１０が蓋１１によって塞がれた状態で、水や薬剤等の液体が収容されている。シート２，３は、水や薬剤や輸血用血液等の液体を収容するのに適した材料を積層した積層シートを用いればよい。
【００３５】
この構成によると、水や薬剤や輸血用血液等の液体も、衣類等の物を収容する密封ファイル型防災用品１００と同一形態の密封ファイル型防災用品４００によって、バインダー式防災用品セット１５０にファイリグすることができる。また、例えば、袋１は１００ｍｌ等の小分けの袋構造にしてもよい。この場合、中空部５が小分けに仕切られるようにシート２，３を溶着するようにしてもよい。
【００３６】
なお、密封ファイル型防災用品１００，２００，３００，４００は、バインダー式防災用品セット１５０にファイリングして用いるばかりでなく、非常時に持ち出しやすいように、壁やドアにつり下げて用いるようにしてもよい。
【００３７】
（実施の形態５）
図７は、この考案の実施の形態５に係る密閉型ファイルを示す説明図である。この密閉型ファイルは、実施の形態１に示した密封ファイル型防災用品１００の穴６を省略したものである。その他の構成は実施の形態１と同じであるからその説明を省略する。この密閉型ファイル５００は、片面の一部に両面テープ５０１が設けられている。両面テープ５０１は、密閉型ファイル５００の上部端近傍に直線的に設けるのが好ましい。
【００３８】
この密閉型ファイル５００は、ＴシャツＸ等の物を中空部５に収納して空気圧縮して略平らにする。そして、前記両面テープ５０１の剥離紙を剥がし、所定の場所に貼り付ける。例えば、図８に示すように、マンションの入り口扉Ｔの内側、窓、下駄箱の扉の内側等の震災等の際に容易に気がつく所に貼り付けておくのが好ましい。緊急の際は、密閉型ファイル５００を引っ張り、両面テープ５０１による接着を剥がす。そして、密閉型ファイル５００に圧縮収納されているＴシャツＸ等を取出して使用する。
【符号の説明】
【００３９】
１００，２００，３００，４００，５００  密封ファイル型防災用品
１  袋体
２，３  シート
４ａ，４ｂ，４ｃ，４ｄ  外縁
５  中空部
６  穴
７  開口部
８  シール部材
９  栓
９ａ  弁
１５０  バインダー式防災用品セット
【図１】
0003176432.tif 000003
【図２】
0003176432.tif 000004
【図３】
0003176432.tif 000005
【図４】
0003176432.tif 000006
【図５】
0003176432.tif 000007
【図６】
0003176432.tif 000008
【図７】
0003176432.tif 000009
【図８】
0003176432.tif 000010